(57)【要約】【課題】防振ゴムを使用せずにかご室への振動伝達を抑制しつつ、締結部の応力を緩和するとともに、締結部材が少ない簡素なかご構造を実現することを目的とする。【解決手段】かご床が床梁で補強されているかご室と、かご室の左側に立設された第１の縦柱と、かご室の右側に立設された第２の縦柱と、かご室の下側で第１の縦柱と第２の縦柱を連結しかご室の間口方向に延在する下枠と、長手方向が下枠と直交する向きに配設され、かご室の左側で下枠とかご床を結合する一体物の板状部材からなる第１のかご支持部材と、長手方向が下枠と直交する向きに配設され、かご室の右側で下枠とかご床を結合する一体物の板状部材からなる第２のかご支持部材と、でエレベーターの乗りかごを構成する。【選択図】        図２
2012166872.tif 000002
【特許請求の範囲】
【請求項１】
かご床を構成要素とするかご室と、
かご室の左側に立設された第１の縦柱と、
かご室の右側に立設された第２の縦柱と、
かご室の下側で第１の縦柱と第２の縦柱を連結しかご室の間口方向に延在する下枠と、
長手方向が下枠と直交する向きに配設され、かご室の左側で下枠とかご床を結合する一体物の板状部材からなる第１のかご支持部材と、
長手方向が下枠と直交する向きに配設され、かご室の右側で下枠とかご床を結合する一体物の板状部材からなる第２のかご支持部材と、
を備えているエレベーターの乗りかご。
【請求項２】
第１のかご支持部材と第２のかご支持部材は、
背部と底部を有し下枠の端部上面に固定されかご室の乗降方向に延在する枠側梁部と、
かご床の側面部に固定されかご室の乗降方向に延在する床側梁部と、
枠側梁部の前側端部で枠側梁部の底部と床側梁部を連結する第１のＵ字状部と、
枠側梁部の後側端部で枠側梁部の底部と床側梁部を連結する第２のＵ字状部と、
を備えていることを特徴とする請求項１に記載のエレベーターの乗りかご。
【請求項３】
第１のかご支持部材と第２のかご支持部材は、
背部と底部を有し下枠の中央部上面に固定されかご室の乗降方向に延在する枠側梁部と、
かご床の側面部に固定されかご室の乗降方向に延在する床側梁部と、
枠側梁部の前側端部で枠側梁部の底部と床側梁部を連結する第１の円弧状部と、
枠側梁部の後側端部で枠側梁部の底部と床側梁部を連結する第２の円弧状部と、
を備えていることを特徴とする請求項１に記載のエレベーターの乗りかご。
【請求項４】
第１のかご支持部材と第２のかご支持部材は、
かご床の側面部に固定されかご室の乗降方向に延在する床側梁部と、
一端は床側梁部の前側中央部で床側梁部と連結され開放端側は下枠と固定されている第１の円弧状部と、
一端は床側梁部の後側中央部で床側梁部と連結され開放端側は下枠と固定されている第２の円弧状部と、
を備えていることを特徴とする請求項１に記載のエレベーターの乗りかご。
【請求項５】
下枠の前側端部に立設された棒状の第１のストッパーと、下枠の後側端部に立設された棒状の第２のストッパーと、を備えていて、
第１の円弧状部は、第１のストッパーと係合する切り欠きが設けられていて、第２の円弧状材は、第２のストッパーと係合する切り欠きが設けられていることを特徴とする請求項４に記載のエレベーターの乗りかご。
【請求項６】
第１のかご支持部材と第２のかご支持部材は、
下枠の端部上面に固定されかご室の乗降方向に延在する枠側梁部と、
底部と背部を有しかご床の側面部に固定されかご室の乗降方向に延在する床側梁部と、
枠側梁部の前側端部で床側梁部の底部と枠側梁部を連結する第１の接続部と、
枠側梁部の後側端部で床側梁部の底部と枠側梁部を連結する第２の接続部と、
一端は枠側梁部の前側端部で枠側梁部と連結し開放端側が床側梁部の背部と結合されている第３の接続部と、
一端は枠側梁部の後側端部で枠側梁部と連結し開放端側が床側梁部の背部と結合されている第４の接続部と、
を備えていることを特徴とする請求項１に記載のエレベーターの乗りかご。
【請求項７】
かご床を構成要素とするかご室と、
かご室の左側に立設された第１の縦柱と、
かご室の右側に立設された第２の縦柱と、
かご室の下側で第１の縦柱と第２の縦柱を連結しかご室の間口方向に延在する下枠と、
かご床の左側側面部に固定され乗りかご室の乗降方向に延在する第１の床側梁と、
かご床の右側側面部に固定され乗りかご室の乗降方向に延在する第２の床側梁と、
背部と底部を有し下枠の左側中央部上面に固定されかご室の乗降方向に延在する第１の枠側梁部と、第１の枠側梁部の端部に一端が連結され開放端側はかご床と摺動する２個の接続部とを有する第１のかご支持部材と、
背部と底部を有し下枠の右側中央部上面に固定されかご室の乗降方向に延在する第２の枠側梁部と、第２の枠側梁部の端部に一端が連結され開放端側はかご床と摺動する２個の接続部とを有する第２のかご支持部材と、
を備えているエレベーターの乗りかご。
【請求項８】
第１のかご支持部材の２個の接続部材と第２のかご支持部材の２個の接続部材は、すべて、Ｕ字形状を有しており、
背中合わせに配置される第１のかご支持部材の枠側梁部と第２のかご支持部材の枠側梁部は、背部を貫通するピンで固定されていることを特徴とする請求項７に記載のエレベーターの乗りかご。
【請求項９】
第１のかご支持部材の２個の接続部材と第２のかご支持部材の２個の接続部材は、すべて、円弧形状を有しており、
背中合わせに配置される第１のかご支持部材の枠側梁部と第２のかご支持部材の枠側梁部は、背部を貫通するピンで固定されていることを特徴とする請求項７に記載のエレベーターの乗りかご。
【請求項１０】
かご床を構成要素とするかご室と、
かご室の左側に立設された第１の縦柱と、
かご室の右側に立設された第２の縦柱と、
かご室の下側で第１の縦柱と第２の縦柱を連結しかご室の間口方向に延在する下枠と、
かご床の左側側面部に固定され乗りかご室の乗降方向に延在する第１の床側梁と、
かご床の右側側面部に固定され乗りかご室の乗降方向に延在する第２の床側梁と、
背部と底部を有し下枠の左側端部上面に固定されかご室の乗降方向に延在する第１の枠側梁部と、枠側梁部の底部に一端が連結され開放端側はかご床と摺動する２個のＵ字状部とを有する第１のかご支持部材と、
背部と底部を有し下枠の右側端部上面に固定されかご室の乗降方向に延在する第２の枠側梁部と、枠側梁部の底部に一端が連結され開放端側はかご床と摺動する２個のＵ字状部とを有する第２のかご支持部材と、
を備えているエレベーターの乗りかご。
【請求項１１】
かご床を構成要素とするかご室と、
かご室の左側に立設された第１の縦柱と、
かご室の右側に立設された第２の縦柱と、
かご室の下側で第１の縦柱と第２の縦柱を連結しかご室の間口方向に延在する下枠と、
下枠の左側端部に固定され乗りかご室の乗降方向に延在し底部と背部を有する第１の枠側梁部と、一端が第１の枠側梁部の前側端部で第１の枠側梁部の底部と連結し開放端側はかご床の前側中央部に配設されかご室の乗降方向に延在する第１の円弧状部と、一端が第１の枠側梁部の後側端部で第１の枠側梁部の底部と連結し開放端側はかご床の後側中央部に配設されかご室の乗降方向に延在する第２の円弧状部と、を有する第１のかご支持部材と、
下枠の右側端部に固定され乗りかご室の乗降方向に延在し底部と背部を有する第２の枠側梁部と、一端が第２の枠側梁部の前側端部で第２の枠側梁部の底部と連結し開放端側はかご床の前側中央部に配設されかご室の乗降方向に延在する第３の円弧状部と、一端が第２の枠側梁部の後側端部で第２の枠側梁部の底部と連結し開放端側はかご床の後側中央部に配設されかご室の乗降方向に延在する第４の円弧状部と、を有する第２のかご支持部材と、
を備えているエレベーターの乗りかご。
【請求項１２】
かご床を構成要素とするかご室と、
かご室の左側に立設された第１の縦柱と、
かご室の右側に立設された第２の縦柱と、
かご室の下側で第１の縦柱と第２の縦柱を連結しかご室の間口方向に延在する下枠と、
下枠の左側端部に固定されかご室の乗降方向に延在し底部と背部を有する第１の枠側梁部と、第１の枠側梁部の前側端部で第１の枠側梁部の底部と連結し開放端側がかご床の後側端部に向かって延在する第１の直線状部と、第１の枠側梁部の後側端部で第１の枠側梁部の底部と連結し開放端側がかご床の前側端部に向かって延在する第２の直線状部と、を有している第１のかご支持部材と、
下枠の右側端部に固定されかご室の乗降方向に延在する底部と背部を有する第２の枠側梁部と、第２の枠側梁部の前側端部で第２の枠側梁部の底部と連結し開放端側がかご床の後端部に向かって延在する第３の直線状部と、第２の枠側梁部の後側端部で第２の枠側梁部の底部と連結し開放端側がかご床の前端部に向かって延在する第４の直線状部と、を有している第２のかご支持部材と、
を備えているエレベーターの乗りかご。
【請求項１３】
かご床を構成要素とするかご室と、
かご室の左側に立設された第１の縦柱と、
かご室の右側に立設された第２の縦柱と、
かご室の下側で第１の縦柱と第２の縦柱を連結しかご室の間口方向に延在する下枠と、
下枠の左側端部に固定されかご室の乗降方向に延在し底部と背部を有する第１の枠側梁部と、一端が第１の枠側梁部の前側端部で第１の枠側梁部の底部と連結され開放端側はかご床の前端部に向かって延在する第１の折り返し部と、一端が第１の枠側梁部の後側端部で第１の枠側梁部の底部と連結され開放端側はかご床の後端部に向かって延在する第２の折り返し部と、を有している第１のかご支持部材と、
下枠の右側端部に固定されかご室の乗降方向に延在し底部と背部を有する第２の枠側梁部と、一端が第２の枠側梁部の前側端部で第２の枠側梁部の底部と連結され開放端側はかご床の前端部に向かって延在する第３の折り返し部と、一端が第２の枠側梁部の後側端部で第２の枠側梁部の底部と連結され開放端側はかご床の後端部に向かって延在する第４の折り返し部と、を有している第２のかご支持部材と、
を備えているエレベーターの乗りかご。
【請求項１４】
かご床を構成要素とするかご室と、
かご室の左側に立設された第１の縦柱と、
かご室の右側に立設された第２の縦柱と、
かご室の下側で第１の縦柱と第２の縦柱を連結しかご室の間口方向に延在する下枠と、
背部と底部を有し下枠の左側中央部上面に固定されかご室の乗降方向に延在する枠側梁部と、一端が枠側梁部の底部と連結され開放端側は下枠の上面よりも下方に向かう２個の円弧状部を有する板状部材からなる第１のかご支持部材と、
かご床の左側側面部に固定されかご室の乗降方向に延在する床側梁部と、一端が床側梁部の端部に連結され開放端側は第１のかご支持部材の円弧状部のそれぞれと接触する２個の曲線部を有する板状部材からなる第２のかご支持部材と、
背部と底部を有し下枠の右側中央部上面に固定されかご室の乗降方向に延在する枠側梁部と、一端が枠側梁部の底部と連結され開放端側は下枠の上面よりも下方に向かう２個の円弧状部を有する板状部材からなる第３のかご支持部材と、
かご床の右側側面部に固定されかご室の乗降方向に延在する床側梁部と、一端が床側梁部の端部に連結され開放端側は第３のかご支持部材の円弧状部のそれぞれと接触する２個の曲線部を有する板状部材からなる第４のかご支持部材と、
を備えているエレベーターの乗りかご。
【請求項１５】
かご床を構成要素とするかご室と、
かご室の左側に立設された第１の縦柱と、
かご室の右側に立設された第２の縦柱と、
かご室の下側で第１の縦柱と第２の縦柱を連結しかご室の間口方向に延在する下枠と、
背部と底部を有し下枠の左側端部上面に固定されかご室の乗降方向に延在する第１のかご支持部材と、
かご床の左側側面部に固定されかご室の乗降方向に延在する床側梁部と、床側梁部の前側端部および後側端部に配置され第１のかご支持部材の底部と摺動する２個のＵ字状部を有する第２のかご支持部材と、
背部と底部を有し下枠の右側端部上面に固定されかご室の乗降方向に延在する第３のかご支持部材と、
かご床の右側側面部に固定されかご室の乗降方向に延在する床側梁部と、床側梁部の前側端部および後側端部に配置され第３のかご支持部材の底部と摺動する２個のＵ字状部を有する第４のかご支持部材と、
を備えているエレベーターの乗りかご。
【請求項１６】
かご床を構成要素とするかご室と、
かご室の左側に立設された第１の縦柱と、
かご室の右側に立設された第２の縦柱と、
かご室の下側で第１の縦柱と第２の縦柱を連結しかご室の間口方向に延在する下枠と、
かご床の前側側面部に固定されかご室の間口方向に延在する床側梁部と、一端が床側梁部の左側端部で床側梁部と連結し開放端側は下枠の前側中央部で下枠と摺動する第１の円弧状部と、一端が床側梁部の右側端部で床側梁部と連結し開放端側は下枠の前側中央部で下枠と摺動する第２の円弧状部とを有する第１のかご支持部材と、
かご床の後側側面部に固定されかご室の間口方向に延在する床側梁部と、一端が床側梁部の左側端部で床側梁部と連結し開放端側は下枠の後側中央部で下枠と摺動する第３の円弧状部と、一端が床側梁部の右側端部で床側梁部と連結し開放端側は下枠の前側中央部で下枠と摺動する第４の円弧状部とを有する第２のかご支持部材と、
を備えているエレベーターの乗りかご。
【請求項１７】
かご床を構成要素とするかご室と、
かご室の左側に立設された第１の縦柱と、
かご室の右側に立設された第２の縦柱と、
かご室の下側で第１の縦柱と第２の縦柱を連結しかご室の間口方向に延在する下枠と、
背部と底部を有し下枠の前側中央部に固定されかご室の間口方向に延在する第１の枠側梁部と、一端が第１の枠側梁部の左側端部で枠側梁部の底部と連結し開放端側はかご床と摺動する第１のＵ字状部と、一端が枠側梁部の右側端部で枠側梁部と底部と連結し開放端側はかご床と摺動する第２のＵ字状部とを有する第１のかご支持部材と、
背部と底部を有し下枠の後側中央部に固定されかご室の間口方向に延在する第２の枠側梁部と、一端が第２の枠側梁部の左側端部で枠側梁部の底部と連結し開放端側はかご床と摺動する第３のＵ字状部と、一端が枠側梁部の右側端部で枠側梁部と底部と連結し開放端側はかご床と摺動する第４のＵ字状部とを有する第２のかご支持部材と、
を備えているエレベーターの乗りかご。
【請求項１８】
第一のかご支持部材と第二のかご支持部材の間に、たわみを有する鎖またはロープを設けることを特徴とする請求項２、１０、１２、１３、１５のうちいづれか一項に記載のエレベーターの乗りかご。
【請求項１９】
第一のかご支持部材および第二のかご支持部材の弾性部を貫通するストッパを設け、ストッパの一端側はかご床に固定され、ストッパの他端側には板が固定されていることを特徴とする請求項２、１０、１２、１３、１５のうちいづれか一項に記載のエレベーターの乗りかご。
【請求項２０】
第１のかご支持部材の背部と第２のかご支持部材の背部とを貫通するストッパーが設けられていることを特徴とする請求項３、８、９、１４のうちいづれか一項に記載のエレベーターの乗りかご。
【請求項２１】
かご床を構成要素とするかご室と、
かご室の左側に立設された第１の縦柱と、
かご室の右側に立設された第２の縦柱と、
かご室の下側で第１の縦柱と第２の縦柱を連結しかご室の間口方向に延在する下枠と、
かご床の左側側面部に固定されかご室の乗降方向に延在する第１の床側梁と、
かご床の右側側面部に固定されかご室の乗降方向に延在する第２の床側梁と、
かご室の左側に長手方向を下枠と直交する向きにして配設され、床側梁部、枠側梁部および弾性部が一体で形成された第一のかご支持部材と、
かご室の右側に長手方向を下枠と直交する向きにして配設され、床側梁部、枠側梁部および弾性部が一体で形成された第二のかご支持部材と、
を備えているエレベーターの乗りかご。
【請求項２２】
かご床を構成要素とするかご室と、
かご室の左側に立設された第１の縦柱と、
かご室の右側に立設された第２の縦柱と、
かご室の下側で第１の縦柱と第２の縦柱を連結しかご室の間口方向に延在する下枠と、
かご床の左側側面部に固定され乗りかご室の乗降方向に延在する第１の床側梁と、
かご床の右側側面部に固定され乗りかご室の乗降方向に延在する第２の床側梁と、
かごの左側に長手方向を下枠と直交する向きにして配設され、枠側梁部と弾性部が一体で形成された第一のかご支持部材と、
かごの右側に長手方向を下枠と直交する向きにして配設され、枠側梁部と弾性部が一体で形成された第二のかご支持部材と、
を備えているエレベーターの乗りかご。
【請求項２３】
かご床を構成要素とするかご室と、
かご室の左側に立設された第１の縦柱と、
かご室の右側に立設された第２の縦柱と、
かご室の下側で第１の縦柱と第２の縦柱を連結しかご室の間口方向に延在する下枠と、
下枠の左側端部上面に固定されかご室の乗降方向に延在する第一の枠側梁と、
かご床に固定される床側梁部と床側梁部の前側および後側に配設される弾性部が一体化して構成される第一のかご支持部材と、
下枠の右側端部上面に固定されかご室の乗降方向に延在する第二の枠側梁と、
かご床に固定される床側梁部と床側梁部の前側および後側に配設される弾性部が一体化して構成される第二のかご支持部材と、
を備えているエレベーターの乗りかご。
【発明の詳細な説明】
【技術分野】
【０００１】
本発明はエレベーターの乗りかごに関し、特にかご室とかご枠を連結するエレベーターの支持構造に関するものである。
【背景技術】
【０００２】
エレベーターの乗りかごは、乗客が収容されるかご室とかご室を支えるかご枠とで構成されている。かご枠には、エレベーターの走行によりガイドレールやロープの振動が伝わる。エレベーターの乗り心地を改善するために、通常、かご室とかご枠の間に防振ゴムが設置される。
【０００３】
防振ゴムに安価なものを使用すると、経年変化により、振動絶縁特性が低下する。このためコストは高いが寿命の長い良質な防振ゴムが使用されてきた。防振ゴムをかご室の床下とかご枠の間に取付けるためには、エレベーターの乗りかごに取付板を設置し、防振ゴムをボルト締めする必要がある。部品点数と組立時間の増加は、コストアップを招く。
【０００４】
防振ゴムの代わりに経年変化の影響が少ない安価な板ばねを用いた発明が知られている。特許文献１に係るエレベーターでは、かご室は板ばねによる弾性変形で支持されている。この構成でも、板ばねを取付けるための締結部材が必要であり、部品点数と組立時間を減らすことは依然として難しい。板ばねをボルトなどでかご室とかご枠に強固に固定して曲げ変形させると、締結部に大きな曲げ応力が発生する。曲げ応力を緩和するために、板ばねを大型化すると、かご荷重の増加とコストアップを招く。
【先行技術文献】
【特許文献】
【０００５】
【特許文献１】公開実用新案昭５９−１７６８７１(特に図６参照)
【発明の概要】
【発明が解決しようとする課題】
【０００６】
この発明は上記のような課題を解決するためのものであり、防振ゴムを使用せずにかご室への振動伝達を抑制しつつ、締結部の応力を緩和するとともに、締結部材が少ない簡素なかご構造を実現することを目的とする。
【課題を解決するための手段】
【０００７】
この発明に係るエレベーターの乗りかごは、かご床が床梁で補強されているかご室と、かご室の左側に立設された第１の縦柱と、かご室の右側に立設された第２の縦柱と、かご室の下側で第１の縦柱と第２の縦柱を連結しかご室の間口方向に延在する下枠と、長手方向が下枠と直交する向きに配設され、かご室の左側で下枠とかご床を結合する一体物の板状部材からなる第１のかご支持部材と、長手方向が下枠と直交する向きに配設され、かご室の右側で下枠とかご床を結合する一体物の板状部材からなる第２のかご支持部材と、を備えているものである。
【発明の効果】
【０００８】
この発明によれば、かご室、かご枠および両者を接続する部材を一体成形する構造とするため、かご室とかご枠を締結するボルトや取付板を削減することができる。また、締結部の応力を緩和する締結構成のため、かご室とかご枠間を接続する部材を小型、軽量化することができる。
【図面の簡単な説明】
【０００９】
【図１】この発明の実施の形態に係る乗りかごの全体を示す正面図である。
【図２】この発明の実施の形態に係るかごの支持構造を示す斜視図である。
【図３】かご床の構成を説明するための断面図である。
【図４】実施の形態１に係るかご支持部材の構造を説明するための正面図である。
【図５】実施の形態１に係るかご支持部材の構造を説明するための側面図である。
【図６】かご室の荷重が作用した場合に、かご支持部材が変形した様子を説明するための図である。
【図７】実施の形態２に係るかご支持部材の構造を説明するための正面図（ａ）と側面図（ｂ）である。
【図８】実施の形態３に係るかご支持部材の構造を説明するための正面図（ａ）と側面図（ｂ）である。
【図９】実施の形態３に係るストッパの構成を説明するための図である。
【図１０】実施の形態４に係るかご支持部材の構成を示す斜視図である。
【図１１】実施の形態５に係るかご支持部材の構造を説明するための正面図（ａ）と側面図（ｂ）である。
【図１２】実施の形態５に係るかご支持部材と床梁の接続方法を説明するための図である。
【図１３】実施の形態６に係るかご支持部材の構造を説明するための正面図（ａ）と側面図（ｂ）である。
【図１４】実施の形態７に係るかご支持部材の構成を示す断面図である。
【図１５】実施の形態７に係るチェーンの構成を説明するための図（ａ）とストッパーの構成を説明するための図（ｂ）である。
【図１６】実施の形態７に係るストッパの構成を説明するための図である。
【図１７】実施の形態８に係るかご支持部材の構成を示す斜視図である。
【図１８】実施の形態９に係るかご支持部材の構成を示す斜視図である。
【図１９】実施の形態９に係るかご支持部材の変形の様子を説明するための図である。
【図２０】実施の形態１０に係るかご支持部材の構成を示す斜視図である。
【図２１】実施の形態１０に係るかご支持部材の変形を説明するための図で、枠側梁部に曲げ変形が生じない場合の変形図（ａ）と、枠側梁部に曲げ変形が生じる場合の変形図（ｂ）である。
【図２２】実施の形態１１に係るかご支持部材の構成を説明するための正面図（ａ）と側面図（ｂ）と変形状態を示す図（ｃ）とかご支持部材の効果を説明する図（ｄ）である。
【図２３】実施の形態１２に係るかご支持部材の構成を示す断面図である。
【図２４】実施の形態１３に係るかご支持部材の構成を示す斜視図である。
【図２５】実施の形態１３に係るかご支持部材の取り付け部の構成を示す斜視図である。
【図２６】実施の形態１４に係るかご支持部材の構成を説明するための図である。
【発明を実施するための形態】
【００１０】
実施の形態１．
本発明に係るエレベーターの乗りかごの全体構成を図１に示す。紙面手前側が乗り場側である。乗りかご１００はかご室１とかご枠１１とかご支持部材４１から構成されている。かご室１はドア２、かご床２１、側面板２７ａ、２７ｂ、天井２８などから構成されている。ドア２はＸ軸方向に開閉する。かご枠１１は下枠１３、縦柱１４ａ、１４ｂ、上枠１７などから構成されている。下枠１３と縦柱１４ａ、１４ｂと上枠１７で強固な四角形を作り、その内部にかご室１が収められている。
【００１１】
かご支持部材４１ａ、４１ｂがかご室１とかご枠１１を結合することにより、かご室１はかご枠１１に支えられている。かご支持部材４１ａ、４１ｂはかご室１の両端側下部に分かれて対向するように設けられている。縦柱１４ａと側面板２７ａの間、および縦柱１４ｂと側面板２７ｂの間には間隔が設けられている。下枠１３と縦柱１４ａ、１４ｂは連結されている。かご室１の荷重はかご支持部材４１ａ、４１ｂを介して、下枠１３に伝わる。側面板２７ａは正面から見て、乗りかごの左側に設けられている。同様に側面板２７ｂは正面から見て、乗りかごの右側に設けられている。
【００１２】
図２はエレベーターのかご枠の構成を示す斜視図である。かご枠１１において、かご室１の間口方向をＸ軸方向、上下方向をＹ軸方向、乗降（前後）方向をＺ軸方向とする。乗りかごの前方が＋Ｚ方向である。ＸＹＺ座標の原点Ｏは、下枠１３の上面で、２本の縦柱１４ａ、１４ｂの間の中央かつ、下枠１３のＺ軸方向の中心にとる。Ｚ軸方向が乗りかご１００の乗降方向になる。下枠１３は、かご落下時に、昇降路の底に設けられた緩衝器から衝突荷重を受ける。乗りかご１００はロープ３３で支えられている。縦柱１４ａ、１４ｂはかご室１の傾きを抑える役割を果たす。
【００１３】
下枠１３はロープ３３にて上方へと支持されている。振れ止め３４ａ、３４ｂは、かご室１の天井２８と縦柱１４ａ、１４ｂの間に設けられ、かご室１の倒れを抑制する。かご支持部材４１ａは長手方向が下枠１３と直交する向きに配設され、乗りかごの左側下端部で下枠１３とかご床２１を連結する一体物の板状部材である。かご支持部材４１ｂは長手方向が下枠１３と直交する向きに配設され、乗りかごの右側下端部で下枠１３とかご床２１を連結する一体物の板状部材である。
【００１４】
Ｕ字形状の弾性部４２ａ、４２ｂとアングル形状の枠側梁部４３はかご支持部材４１を構成している。弾性部４２ａ、４２ｂはかご支持部材４１ａ、４１ｂのそれぞれに設けられている。枠側梁部４３は、Ｚ軸方向に沿って配設されている。弾性部４２ａは枠側梁部４３の前側端部に設けられている。弾性部４２ｂは枠側梁部４３の後側端部に設けられている。
【００１５】
かご床２１の構成を図３に基づいて説明する。かご床２１は主に、床梁２３、床板２４、床前梁２５および床後梁２６から構成されている。床板２４の下には複数の床梁２３が間口方向（Ｘ軸方向）を長手方向とするように配置されている。床板２４と床梁２３は溶接止めされている。床前梁２５と床後梁２６は、前後両端（Ｚ軸方向の最大位置と最小位置）で、床板２４と一体化されているか、床板２４にボルト締結または溶接止めされている。なお、図３では床前梁２５は一体化されている場合を、床後梁２６はボルト締結または溶接止めされている場合を示している。
【００１６】
図４は実施の形態１に係るかご支持部材の構成を示す断面図である。一体化されたかご支持部材４１は弾性部４２、枠側梁部４３および床側梁部４４に区分けされる。かご支持部材４１の曲線部に連続した直線部のうち、床梁２３と接続する部分が床側梁部４４である。下枠１３との連結に用いる範囲が枠側梁部４３である。弾性部４２は枠側梁部４３と床側梁部４４を連結する。
【００１７】
弾性部４２ａ、４２ｂはかご床２１とかご枠１１（下枠１３）を接続する役割を持つ。枠側梁部４３は下枠１３と接続する役割とかご室１を支持するための土台となる役割を持つ。枠側梁部４３はアングル形状を有し、背部４３ｘと底部４３ｙから構成される。床側梁部４４はかご床２１と接続する役割を有する。
【００１８】
図５はかご支持部材を縦柱の方向から見た側面図である。Ｕ字形状の弾性部４２ａ、４２ｂは枠側梁部４３の両先端（Ｚ軸の最大値および最小値）付近に設けられている。枠側梁部４３の長手方向と下枠１３の長手方向は直交している。枠側梁部４３の底部４３ｙは下枠１３と長手方向の中央（Ｚ＝０）付近でボルト５１により締結されている。
【００１９】
図６は、かご支持部材にかご室の荷重が作用し、一体化したかご支持部材が変形した状態を表している。図中にはかご支持部材の各部に作用する力の関係も示している。かご室質量と積載量の合計であるかご室荷重Ａが弾性部４２に対し下方向（−Ｙ方向）に作用すると、弾性部４２には上下方向に圧縮される変形が生じる。かご室荷重Ａは弾性部４２を伝わり、枠側梁部４３にも作用する。梁の長手方向（Ｚ軸方向）には上下方向の曲げ変形、および長手軸（Ｚ軸）まわりのねじり変形が生じる。
【００２０】
乗りかごには、異常動作による非常停止時に通常走行時より大きな減速度が作用する。本構成では枠側梁部４３の上端と床側梁部４４が接触することで、枠側梁部４３の上端（背部４３ｘ）がストッパーとして機能する。
【００２１】
かご支持部材は弾性部４２の曲げと枠側梁部４３の曲げ、ねじりにより、弾性部４２の曲げ変形のみよりも大きな弾性変形を得ることができるので、かご室１はかご枠１１に対し弾性支持される。この構成では、弾性部４２の曲げに加えて枠側梁部４３の弾性変形を利用してかご室１を支持することから、弾性部４２を大きくする必要がなく、かご重量が重くなることがない。また、かご支持部材を一体成形していることにより部品点数を減らすことができる。
【００２２】
実施の形態２．
実施の形態２に係るかご支持部材の構成を図に基づいて説明する。図７（ａ）は実施の形態２に係るかご支持部材の構成を示す断面図である。図７（ｂ）は実施の形態２に係るかご支持部材を縦柱の方向から見た状態を表している。かご支持部材４１は枠側梁部４３、弾性部４２ａ、４２ｂおよび床側梁部４４を一体化した構造を有する。さらに、２本の枠側梁部４３の先端（Ｚ軸の最大位置と最小位置）をＩ字断面のねじりストッパー５４が貫通する構造とする。実施の形態１では、枠側梁部４３が下枠１３の両端部（Ｘ軸の最大および最小側）に配置されていたのに対し、実施の形態２では枠側梁部４３を下枠１３の間口方向中央（Ｘ＝０）に隣り合うように背中合わせにして２本配置している。
【００２３】
実施の形態２において弾性部４２が存在するのは、ねじり角が大きくなる枠側梁部４３の先端付近である。乗りかごに、非常動作により通常走行時より大きなかご荷重が作用した際には、枠側梁部４３のねじりが過大となり塑性変形に至ることが想定される。枠側梁部４３が所定のねじり変形量を超えないようにねじり変形を抑制することが望ましい。実施の形態２の構成は枠側梁部４３の先端付近に穴を開け、ねじりストッパー５４を前後両側に挿入するだけの容易なものであり、非常動作時には枠側梁部４３のねじりを抑制することができる。枠側梁部４３はアングル形状を有し、背部と底部から構成される。枠側梁部４３の底部は下枠１３と長手方向の中央（Ｚ＝０）付近でボルトにより締結されている。
【００２４】
実施の形態３．
実施の形態３について図を用いて以下説明する。図８（ａ）は実施の形態５に係るかご支持部材の構成を示す正面断面図である。図８（ｂ）は実施の形態５に係るかご支持部材を縦柱の方向から見た側面図である。かご支持部材４１は弾性部４２ａ、４２ｂおよび床側梁部４４から構成されている。床側梁部４４は円弧状の弾性部４２ａ、４２ｂと一体化されている。床側梁部４４は床梁２３に溶接等で固定されていて、かご床２１を補強している。弾性部４２ａ、４２ｂのそれぞれに、ストッパー接触部３５が設けられている。ストッパー３２は下枠１３より突出している。弾性部４２ａ、４２ｂの先端部は下枠１３と方向の中央（Ｚ＝０）付近でボルト５１により締結されている。なお、図には弾性部が弾性部４２ａと弾性部４２ｂの２つに分かれている場合を示したが、一枚の幅広い円弧状の部材とすることもできる。
【００２５】
図９にストッパーとストッパー接触部の詳細形状を示す。棒状のストッパー３２はストッパー接触部３５に対応する位置に設けられている。ストッパー接触部３５はかご支持部材４１に半円状に入れた切れ目を水平になるまで曲げられている。この構成により、枠側梁部をなくすことができるため、部品点数および材料費を削減できる。かご支持部材４１を折り返してストッパーを設けても、中央（Ｘ＝０）だけで支持することになり、かご室内で偏荷重が作用している場合にはバランスが悪くなるため、ストッパーは下枠１３に設ける。
【００２６】
実施の形態４．
実施の形態４について図１０を用いて以下説明する。かご支持部材４１は接続部３０ａ、３０ｂ、枠側梁部４３、接続部３１ａ、３１ｂ、床側梁部４４から構成されている。床側梁部４４は背部と底部を有する。床側梁部４４は背部で床梁２３に溶接等で固定されていて、かご床２１を補強している。開放されている接続部３０ａ、３０ｂの先端は床側梁部４４の背部に固定されている。接続部３１ａは枠側梁部４３と床側梁部４４を前側端部で連結している。接続部３１ｂは枠側梁部４３と床側梁部４４を後側端部で連結している。枠側梁部４３の中央部（Ｚ＝０）は下枠１３と強固に締結されている。この場合、かご支持部材４１は破線で示すように、片持ち支持構造による梁の曲げ変形での弾性変形を利用している。かご支持部材４１は板を４度折り曲げて角筒状にした構造を有している。
【００２７】
枠側梁部４３、接続部３０、３１、床側梁部４４が形成する角筒の４面のうちＹＺ平面と平行な２面には前後両端（Ｚ軸の最大位置と最小位置）に細い板状の接続部３０、３１が設けられている。これにより、下枠１３に固定された平板状の枠側梁部４３の先端（Ｚ軸の最大位置および最小位置）のみに荷重を作用させることができ、接続部３０、３１の上下方向（Ｙ軸方向）弾性変形を最大限得られる。本構成はかご室の前後左右の４箇所に荷重を分散して支持するため、かご室内に偏荷重が作用した際に、中央（Ｚ＝０）付近のみで支持する場合と比較して、バランスが良く、かご室の倒れ込みを抑える効果が大きい。
【００２８】
実施の形態５．
図１１は実施の形態５に係るかご支持部材の構成を示す断面図である。かご支持部材４１は弾性部４２ａ、４２ｂと枠側梁部４３から構成されている。枠側梁部４３とＵ字形状の弾性部４２ａ、４２ｂは一体化されている。枠側梁部４３はアングル形状を有し、背部と底部から構成される。枠側梁部４３の底部は下枠１３と下枠の長手方向の中央（Ｚ＝０、Ｘ＝０）付近でボルトにより締結されている。
【００２９】
床側梁２２は一体化されたかご支持部材４１から独立している。床側梁２２は、間口方向（X軸方向）を長手方向とするように配置された複数の床梁２３に溶接されていて、かご床２１を補強している。弾性部４２ａ、４２ｂはＵ字状に折れ曲っている。かご支持部材４１ａの枠側梁部４３とかご支持部材４１ｂの枠側梁部４３は、背中合わせにして配置され、ストッパー５４で係止されている。
【００３０】
図１２を用いてかご支持部材４１と床梁２３の接続方法について説明する。かご支持部材４１の床梁２３との接触位置付近に間口方向（Ｘ軸方向）を長径とする楕円形状の穴４６が設けられている。穴４６には床梁２３の固定位置より突出するピン５２を挿入する。この際、かご支持部材４１はピン５２をガイドにして間口方向の移動およびＺ軸まわりの回転（傾き）が自由にできる構成とする。
【００３１】
穴４６の長径方向の長さ（Ｘ軸方向の自由移動量）、およびかご支持部材４１の回転許容量は、枠側梁部４３の上端がかご床側と接触し、ストッパーとして動作する最大かご上下変位の場合において、かご支持部材４１が弾性変形に至らない十分な移動量を確保しておけばよい。これにより、かご支持部材４１は穴４６の長径方向（Ｘ軸方向）に並進移動でき、かつ、Ｚ軸まわりの回転自由に支持される。
【００３２】
ボルト等によりかご支持部材４１と床梁２３を上下方向（Ｙ軸方向）に完全に拘束すると、かご支持部材４１の先端は応力が上昇し、塑性変形に至る。上下方向に非拘束で自由に回転できる構成とすることで、応力が上昇するのを防ぎ弾性変形内に抑えることができる。なお、楕円の長径を前後方向（Ｚ軸方向）として、前後方向の並進移動およびＸ軸まわりの回転自由支持としても良い。
【００３３】
実施の形態６．
図１３は実施の形態６に係るかご支持部材の構成を示す断面図である。かご支持部材４１は弾性部４２ａ、４２ｂと枠側梁部４３から構成されている。枠側梁部４３と円弧状の弾性部４２ａ、４２ｂは一体化されている。枠側梁部４３はアングル形状を有し、背部と底部から構成される。枠側梁部４３の底部は下枠１３と下枠の長手方向の中央（Ｚ＝０、Ｘ＝０）付近でボルトにより締結されている。
【００３４】
床側梁２２は一体化されたかご支持部材４１から独立している。床側梁２２は、間口方向（X軸方向）を長手方向とするように配置された複数の床梁２３に溶接されていて、かご床２１を補強している。弾性部４２ａ、４２ｂは円弧状に折れ曲っている。かご支持部材４１ａの枠側梁部４３とかご支持部材４１ｂの枠側梁部４３は、背中合わせにして配置され、ストッパー５４で係止されている。
【００３５】
実施の形態７．
図１４は実施の形態７に係るかご支持部材の構成を示す断面図である。かご支持部材４１は弾性部４２ａ、４２ｂと枠側梁部４３から構成されている。Ｕ字形状の弾性部４２ａ、４２ｂと背部４３ｘと底部４３ｙを有する枠側梁部４３は一体化されている。枠側梁部４３の底部４３ｙは、下枠１３と下枠１３の長手方向の両端部（Ｘ軸の最大位置および最小位置）付近でボルトにより締結されている。
【００３６】
床側梁２２は弾性部４２と枠側梁部４３から独立していて、間口方向（X軸方向）を長手方向とするように配置された複数の床梁２３に溶接されている。弾性部４２ａ、４２ｂの上側先端は枠側梁部４３の側面より距離ｄだけ離れて床梁２３と接続している。かご支持部材４１の弾性部４２ａ、４２ｂとかご床２１との接続は、図１２に示した上下方向に非拘束な方法を用いる。
【００３７】
乗りかごに、非常動作により通常走行時より大きなかご荷重が作用した際には、枠側梁部４３のねじりが過大となり塑性変形に至ることが想定される。枠側梁部４３が所定のねじり変形量を超えないようにねじり変形を抑制することが望ましい。図１５（ａ）は枠側梁部４３の先端（Ｚ軸の最大位置と最小位置）の下側底面間または外側側面間に初期状態では変形可能なようにたわみを有するチェーン（またはロープ）５３を設けた構成を示している。図１５（ｂ）は同様に隙間を有するストッパ５４を設けた構成を示している。この構成により、左右の枠側梁部４３の間に設けられたチェーン（またはロープ）やストッパの間隔を一定に保つことにより、一定量以上の枠側梁部４３のねじり変形を抑制することができる。
【００３８】
ねじりストッパーの別の構成例を図１６に示す。一端が床梁２３に固定されたねじりストッパー５４は棒部分５４ａと板部分５４ｂから構成される。棒部分５４ａはかご支持部材４１を貫通する。板部分５４ｂはかご支持部材４１の底面より下方に所定の隙間を設ける。かご支持部材４１に設けた穴は、かご支持部材４１の変形に際し、ストッパー５４の棒部分５４ａと干渉しない形状とし、ねじりストッパー５４の板部分５４ｂはかご支持部材４１の穴より十分に大きいものとする。
【００３９】
このような構成であれば、枠側梁部４３にねじりが生じ、弾性部４２が下方に変位する際、ねじりストッパー５４の板部分５４ｂと弾性部４２が接触し、それ以上ねじりが拡大しない構造が可能になる。枠側梁部４３からかご支持部材４１と床梁２３の接続位置までの距離ｄを大きくすると、枠側梁部４３をＺ軸まわりにねじるモーメントを増大できるため、枠側梁部４３のねじり変形量を増加させることができる。よって、大きな上下方向の弾性変位をかご室に与えることができる。
【００４０】
実施の形態８．
実施の形態８について図１７を用いて以下説明する。かご支持部材４１は弾性部４２ａ、４２ｂ、枠側梁部４３から構成されている。弾性部４２は枠側梁部４３の前後両先端位置（Ｚ軸最大位置および最小位置）にて折り返すことで構成され、床梁の中央（Ｚ＝０）付近にて図１２に示す非拘束な方法にて接続される構造である。ここでは弾性部４２の幅を枠側梁部４３の幅と同一としているが、弾性部４２の幅を狭くまたは広くしても良く、さらには間口方向（Ｘ軸方向）全幅を一枚で構成し、２本の枠側梁部４３を一体化しても良い。
【００４１】
弾性部４２ａ、４２ｂは円弧形状を有し、乗りかごの乗降方向に延在する。枠側梁部４３は、底部と背部から構成され、下枠１３の右側端部または左側端部にボルトで固定される。弾性部４２ａは、枠側梁部４３の前側端部で底部と連結し開放端側がかご床の前側中央部に配設される。弾性部４２ｂは、枠側梁部４３の後側端部で底部と連結し開放端側がかご床の後側中央部に配設される。
【００４２】
枠側梁部４３と弾性部４２が広範囲でつながっているため、本構造では枠側梁部４３にねじりは生じないで、弾性部４２に弾性変形を生じる。このように枠側梁部４３と弾性部４２を一体化したことにより部品点数の削減が可能である。また、枠側梁部４３が上下方向（Ｙ軸方向）曲げ変形する構成とすると、枠側梁部４３の曲げ変形が加わるため、かご室を弾性支持するのに必要な弾性部４２の弾性変形量が減少するため弾性部４２を軽量化することが可能となる。
【００４３】
実施の形態９．
実施の形態９に係るかご支持部材の構成を図１８に基づいて説明する。直線形状を有する弾性部４２は、かご床２１の前方（＋Ｚ方向）と枠側梁部４３の後方（−Ｚ方向）およびかご床２１の後方（−Ｚ方向）と枠側梁部４３の前方（＋Ｚ方向）を前後方向に交差するように接続する。弾性部４２は枠側梁部４３と床前梁および床後梁または床梁と接続する。枠側梁部４３はアングル形状を有し、底部と背部から構成される。枠側梁部４３は、底部と背部から構成され、下枠１３の右側端部または左側端部にボルトで固定される。なお、かご床２１の後側端部と弾性部４２ａの先端部を、かご床２１の前側端部と弾性部４２ｂの先端部を一体化しても良い。なお弾性部４２は直線形状に限られず、円弧状にすることもできる。
【００４４】
図１９を用いてかご室で偏荷重Ａが作用した場合のかご枠変形について説明する。かご室１に偏荷重Ａが作用すると、かご室１は倒れようとする。かご室１の天井と縦柱１４の間にある振れ止め３４のため、縦柱１４には後方（−Ｚ方向）への力が作用し、後方にたわむ。しかし、本実施の形態による構造では、後側（−Ｚ方向）にかご室偏荷重Ａが作用した場合、枠側梁部４３の後側より前側（＋Ｚ方向）に大きな荷重Ｂが伝わり、枠側梁部４３は前側に傾くため、縦柱１４は前方にたわむことになる。これにより、かご室１の倒れを抑制する振れ止め３４による後方（−Ｚ方向）へのたわみと打ち消しあうことになるので、縦柱１４の負担を軽減することができ、縦柱１４を軽量化できる。なお、図１８に示すように弾性部４２が前後方向に交差していない場合は、逆に枠側梁部４３の後方に大きな荷重が作用し、縦柱１４は後方にたわむため、かご室１の倒れによる後方（−Ｚ方向）へのたわみと併せて負担は増大する。
【００４５】
実施の形態１０．
図２０は実施の形態１０に係るかご支持部材の構成を示す斜視図である。かご支持部材４１の配置方向を、枠側梁部４３のねじり軸（Ｚ軸）に対し平行とした構成を示す。枠側梁部４３と弾性部４２は一体成形されている。弾性部４２は、枠側梁部４３の前後両側の先端（Ｚ軸の最大位置と最小位置）にて折り返している。床前梁２５および床後梁２６と弾性部４２を一体成形してもよい。図の例では弾性部４２を平面状の板を折り返した形状として図示しているが、弾性部４２をＵ字形状とすることも可能である。
【００４６】
かご支持部材４１とかご床２１との接続は、図１２に示した上下方向に非拘束な方法を用いる。かご支持部材４１は折り返し形状を有する弾性部４２の先端（Ｚ軸の最大位置と最小位置）にて枠側梁部４３と一体化される。枠側梁部４３の先端にかご室荷重が作用することになるため、枠側梁部４３の先端より中央（Ｚ＝０）側に荷重が作用する場合と比較して、大きな曲げ変位を得ることができる。
【００４７】
弾性部４２の折り返し位置Ａより下部は、図２１（ａ）、図２１（ｂ）で示すように折り返し位置が完全固定の片持ち梁と考えることができる。ここで図２１（ａ）は、枠側梁部４３に曲げ変形が生じない場合であり、図２１（ｂ）は枠側梁部４３に曲げ変形が生じる場合を示す。図２１（ａ）では、枠側梁部４３の先端にたわみ角が生じないため、弾性部４２の下部は破線のように変形する。一方、図２１（ｂ）の場合、枠側梁部４３の曲げにより先端にはたわみ角が生じ、破線の変形となる。
【００４８】
図２１（ａ）と図２１（ｂ）の梁先端の応力を比較すると、図２１（ｂ）の方が非常に小さいため、梁先端の幅を小さくすることができる。弾性部４２の下部形状に関して、幅Ｄ１と幅Ｄ２の関係をＤ１＞Ｄ２とすることにより弾性部４２の軽量化が可能になる。ここで、折り返し位置よりも上部における弾性部４２の幅をＤ１とし、弾性部４２が枠側梁部４３と一体化される部分の幅をＤ２とする。
【００４９】
弾性部４２を枠側梁部４３の側面から離れた間口方向中央（Ｘ＝０）寄りで枠側梁部４３と一体化していることから、間口方向外（Ｘ軸の最大値および最小値）寄りで一体化するより枠側梁部４３に大きなねじり変形を生じさせることができる。以上より、枠側梁部４３の大きな曲げ変形とねじり変形を利用できるため、かご室１をかご枠１１に対して弾性支持する際に弾性部４２が負担するかご室１の弾性変形量を小さくできることから、弾性部４２を小さく軽量化できる。
【００５０】
実施の形態１１．
実施の形態１１について図を用いて以下説明する。図２２（ａ）は実施の形態１１に係るかご支持部材の構成を示す断面図である。図２２（ｂ）は実施の形態１１に係るかご支持部材を縦柱の方向から見た状態を表している。床側梁部（第２のかご支持部材と第４のかご支持部材）４４にはレ状の弾性部４２ａ、４２ｂを設けている。下枠１３の中央（Ｘ＝０）に配置した枠側梁部（第１のかご支持部材と第３のかご支持部材）４３には下方に向かう円弧状の弾性部４５ａ、４５ｂを設けている。弾性部４２ａと弾性部４５ａが接触することにより、かご室を支持する。同様に、弾性部４２ｂと弾性部４５ｂが接触することにより、かご室を支持する。
【００５１】
本実施の形態における変形前後のかご支持部材の形状を図２２（ｃ）に示す。変形前を破線、変形後を実線で表している。かご室荷重の増加に伴い、弾性部４５はねじりが生じ、下方への傾きが大きくなる。かご床側の弾性部４２は弾性部４５と角度を持って接触しているため、弾性部４２は上下方向に圧縮される荷重を受けるとともに、間口方向（Ｘ軸方向）に対して外側（Ｘ軸の最大位置および最小位置）方向の荷重も受ける。そのため、両方の弾性部の接触位置は外側にずれる。
【００５２】
図２２（ｄ）は弾性部４５のねじりによる回転を図示したものである。矢印の根元は初期の弾性部の接触位置を示し、矢印の先はねじり後の接触位置を表す。また、すべりの有無による接触位置の違いを２本の矢印Ａ、Ｂで示している。両かご接続部分の曲げ変位に加えて、両かご接続部分の接触位置でのすべりを考慮した下方変位（Ｂ）はすべらずに一体となってねじれる場合の下方変位（Ａ）より大きくなる。よって、かご室の弾性変形量の増大となるため、弾性部４２および弾性部４５を小型軽量化することが可能となる。なお、枠側梁部４３のねじり変形のみを利用する構成としてもよい。
【００５３】
実施の形態１２．
実施の形態１２について図２３を用いて説明する。かご支持部材４１は弾性部４２ａ、４２ｂおよび床側梁部４４から構成されている。床側梁部４４はＵ字形状の弾性部４２ａ、４２ｂと一体化されている。床側梁部４４は、床梁２３（かご床）の左側側面部または右側側面部に固定され、乗りかごの乗降方向に延在している。
【００５４】
枠側梁１２は背部１２ｘと底部１２ｙから構成され、かご支持部材４１から独立している。枠側梁１２は、下枠１３の左側端部上面または右側端部上面にボルト５１で締結固定されている。枠側梁１２の底部１２ｙとかご支持部材４１の弾性部４２ａ、４２ｂは、乗りかごに荷重が加わると摺動する。弾性部４２ａ、４２ｂと枠側梁１２の底部１２ｙは１軸（Ｘ方向）に一定範囲で摺動できる固定方法を用いている（図２５参照）。弾性部４２ａ、４２ｂと枠側梁１２の底部１２ｙの接触面には摩擦が働く。
【００５５】
実施の形態１３．
実施の形態１３について図２４を用いて説明する。かご支持部材４１は弾性部４２ａ、４２ｂと床側梁部４４から構成されている。床側梁部４４は乗りかごの間口方向に延在し、かご床２１の前側側面部に固定される床前梁またはかご板２１の後側側面部に固定される床後梁を兼ねている（図３参照）。円弧状の弾性部４２ａ、４２ｂは床側梁部４４と一体化（連結）されていて、下枠１３の前側中央部また後側中央部で摺動可能に取り付けられている。
【００５６】
弾性部４２ａ、４２ｂの開放端側には、折り返し（枠側梁部）４３ａを設けてある。折り返し４３ａは非常停止などの異常動作時においてはストッパーとして機能する。下枠１３の両端（Ｘ軸の最大位置および最小位置）付近に一つずつ弾性部４２を設けた場合を示しているが、下枠１３の間口方向（Ｘ軸方向）全域が１枚の弾性部４２で構成されていても、３つ以上の弾性部４２が断続的に配置されていても良い。この構成では、枠側梁部は不要となり、部品点数および材料費を削減できる。
【００５７】
かご支持部材４１と下枠１３との接続を図２５に示す。かご支持部材４１に前後方向（Ｚ軸方向）が長径となる楕円形状の穴４６を設けている。穴４６にはピン５２が挿入される。かご支持部材４１と下枠１３は上下方向（Ｙ軸方向）および間口方向（Ｘ軸方向）には固定されるが、前後方向（Ｚ軸方向）には固定されず、下枠１３に対してかご支持部材４１が一定の範囲内で摺動移動する。
【００５８】
かご支持部材４１と下枠１３を完全に締結すると、前側のかご支持部材４１は後方（−Ｚ方向）に、後側のかご支持部材４１は前方（＋Ｚ方向）にずれようとする力が生じるのに対し、本構成ではかご支持部材４１が前後方向（Ｚ軸方向）にすべることができるため、かご支持部材４１に生じる前後方向の圧縮応力を緩和することができ、小型にすることができる。穴４６の長径の長さは、かご支持部材４１の折り返しの上端とかご床が接触し、かごの上下変位が最大となる場合において、弾性部４２が弾性変形に至らない十分な前後方向（Ｚ軸方向）移動量を確保しておけばよい。
【００５９】
実施の形態１４．
実施の形態１４について図２６を用いて以下説明する。かご支持部材４１は弾性部４２ａ、４２ｂと枠側梁部４３から構成されている。弾性部４２ａ、４２ｂと枠側梁部４３は一体化されている。枠側梁部４３は背部と底部を有し、乗りかごの間口方向に延在している。枠側梁部４３は下枠１３の前側中央部または後側中央部にボルト締結により完全に固定される。Ｕ字状の弾性部４２ａ、４２ｂとかご床２１は図１２に示す方法にて接続されている。かご支持部材４１の枠側梁部４３の上端部はストッパーとしても機能する。また、かご支持部材４１を下枠１３の間口方向（Ｘ軸方向）全幅に１枚で設けても、断続的に複数配置しても良い。
【００６０】
本構成にすることにより、下枠１３に直交する枠側梁部が不要となり、ストッパーの機能も一体成形することができるため、材料費および部品点数を削減できる。
【符号の説明】
【００６１】
１：かご室、１１：かご枠、１３：下枠、２１：かご床、４１：かご支持部材、４２：弾性部、４３：枠側梁部、４４：床側梁部
【図１】
2012166872.tif 000003
【図２】
2012166872.tif 000004
【図３】
2012166872.tif 000005
【図４】
2012166872.tif 000006
【図５】
2012166872.tif 000007
【図６】
2012166872.tif 000008
【図７】
2012166872.tif 000009
【図８】
2012166872.tif 000010
【図９】
2012166872.tif 000011
【図１０】
2012166872.tif 000012
【図１１】
2012166872.tif 000013
【図１２】
2012166872.tif 000014
【図１３】
2012166872.tif 000015
【図１４】
2012166872.tif 000016
【図１５】
2012166872.tif 000017
【図１６】
2012166872.tif 000018
【図１７】
2012166872.tif 000019
【図１８】
2012166872.tif 000020
【図１９】
2012166872.tif 000021
【図２０】
2012166872.tif 000022
【図２１】
2012166872.tif 000023
【図２２】
2012166872.tif 000024
【図２３】
2012166872.tif 000025
【図２４】
2012166872.tif 000026
【図２５】
2012166872.tif 000027
【図２６】
2012166872.tif 000028